(57)【特許請求の範囲】
【請求項１】
浴槽と該浴槽と対向する壁面間に横設されるカウンターにおいて、
該カウンターは、前記浴槽と前記壁面間の距離より短い寸法に設定されているとともに、
一端側が前記浴槽側または前記壁面に当接され、他端側は前記壁面または前記浴槽に固設された排水流路部材上にカウンター端部を載置することによりカウンター端部と排水流路部材上面とで形成される段部が排水流路となることを特徴とする浴室のカウンター取付構造。
【請求項２】
前記カウンターは、天板部と前板部で構成され、
前記排水流路部材は、前記天板部の位置に対応する上部部材と、前記前板部の位置に対応する下部部材で構成されていることを特徴とする請求項１に記載の浴室のカウンター取付構造。
【請求項３】
前記排水流路部材には、配管貫通穴が形成されていることを特徴とする請求項１または請求項２に記載の浴室のカウンター取付構造。
【発明の詳細な説明】
【技術分野】
【０００１】
本発明は、浴室におけるカウンターの取付構造に関するものである。
【背景技術】
【０００２】
従来、特許文献１に開示されているように、浴室内にカウンターを設置するに際し、カウンターを、浴槽と、この浴槽と対向する壁面間に架け渡し状に横設して設置する場合がある。
【特許文献１】特開２００４−１４７７１１号公報
【発明の開示】
【発明が解決しようとする課題】
【０００３】
カウンターを、浴槽と、浴槽と対向する壁面間に横設する場合、浴室の壁面を構成する壁パネルの建込み時の施工誤差等により、カウンターの長手方向両端側に隙間が発生する場合があり、従来では、この隙間を埋めるためにシリコンを塗布しているが、シリコンを塗布する場合は、意匠的に劣り、施工工数が増し、また、長年使用によりシリコン部分に汚れが付着してしまうという問題点があった。
また、特許文献１の構造では、隙間はなくなるものの左右の支持体の存在により意匠性に劣り、施工工数が増加するという問題点があった。
【課題を解決するための手段】
【０００４】
本発明は上記従来の問題点に鑑み案出したものであって、両端に隙間が発生することなく、すっきりとした設置状態が得られる浴室のカウンター取付構造を提供するものであり、その請求項１は、浴槽と該浴槽と対向する壁面間に横設されるカウンターにおいて、
該カウンターは、前記浴槽と前記壁面間の距離より短い寸法に設定されているとともに、
一端側が前記浴槽側または前記壁面に当接され、他端側は前記壁面または前記浴槽に固設された排水流路部材上にカウンター端部を載置することによりカウンター端部と排水流路部材上面とで形成される段部が排水流路となることである。
【０００５】
また、請求項２は、前記カウンターは、天板部と前板部で構成され、前記排水流路部材は、前記天板部の位置に対応する上部部材と、前記前板部の位置に対応する下部部材で構成されていることである。
【０００６】
また、請求項３は、前記排水流路部材には、配管貫通穴が形成されていることである。
【発明の効果】
【０００７】
本発明は、浴槽と該浴槽と対向する壁面間に横設されるカウンターにおいて、該カウンターは、前記浴槽と前記壁面間の距離より短い寸法に設定されているとともに、一端側が前記浴槽側または前記壁面に当接され、他端側は前記壁面または前記浴槽に固設された排水流路部材上にカウンター端部を載置することによりカウンター端部と排水流路部材上面とで形成される段部が排水流路となることにより、カウンターの一端側は浴槽側または壁面に当接されて隙間が生じなく、また他端側は、壁面または浴槽に固設された排水流路部材上に載せて設置され、カウンター端部と排水流路部材上面とで形成される段部を排水流路として構成することができ、すっきりとしたカウンターの設置状態が得られるものとなる。
【０００８】
また、前記カウンターは、天板部と前板部で構成され、前記排水流路部材は、前記天板部の位置に対応する上部部材と、前記前板部の位置に対応する下部部材で構成されていることにより、例えば、カウンターの天板部を黒色にして、カウンターの前板部を白色にしたような場合に、排水流路部材も上部部材は黒色にし、下部部材は白色に構成して、上下で異なる色の組み合わせが可能となり、意匠性に優れたカウンターの設置状態が得られるものとなる。
【０００９】
また、前記排水流路部材には、配管貫通穴が形成されていることにより、配管貫通穴に配管を通して、カウンター内に良好に配管することができる。
【実施例】
【００１０】
以下、本発明の実施例を図面に基づいて説明する。
図１は、浴室の平面構成図であり、浴室内には浴槽２が設置され、洗い場３側にはカウンター５が設置されており、このカウンター５は、浴槽２のエプロン２ａから、浴槽２と対向する側の壁面４間に亘って横設されており、カウンター５の上方の壁面には、吐水口６が設置され、吐水口６を操作するための流量調整用のハンドル７と、温度調節用のハンドル８が取り付けられている。
また、カウンター５と反対側には出入口を構成するドアＤが設けられている。
【００１１】
図２は、カウンターの拡大斜視構成図であり、カウンター５は、天板部５１と前板部５２に分割されており、天板部５１は、背側立上部５１ａを有し、上面には段部５１ｃと溝部５１ｄが形成されており、上面の前端側には洗面器の落下を防止する落下防止凸部５１ｅ，５１ｅが形成されて、前端側には略垂下状に前面５１ｂが一体形成されている。
また、図５の分解斜視図で示すように、上面の裏側には下方側へ垂下状にボス部５１ｆ，５１ｆが一体形成されている。
【００１２】
また、前板部５２は、前面５２ａから傾斜状に傾斜面５２ｂが形成され、傾斜面５２ｂから下面５２ｃが一体形成されており、下面５２ｃには貫通状に下孔５２ｄが形成されている。また、前面５２ａには、上方へ立ち上げて嵌合爪５２ｅ，５２ｅが形成されており、この嵌合爪５２ｅ，５２ｅを、天板部５１の前面５１ｂの裏側に嵌合させて、前板部５２を天板部５１に連結できるように構成されている。
また、図２において、傾斜面５２ｂに点検口蓋５３が取り付けられている。
なお、本例においては、カウンター５の天板部５１は黒色となっており、前板部５２は白色となっている。
【００１３】
このようなカウンター５を設置するに際し、浴槽と対向する壁面４には、予め排水流路部材９を固設しておき、この排水流路部材９にカウンター５の先端を載せて、カウンター５の両端側が隙間なく浴槽２のエプロン２ａと壁面４間に設置できるように構成されている。
【００１４】
排水流路部材９は、図３の組立図で、また図４の分解斜視図で示すように、上部部材９１と下部部材９２に分割されており、上部部材９１は黒色で下部部材９２は白色に設定されている。
上部部材９１は、背側立上部９１ａから連続して上面９１ｂが所定勾配で形成され、上面９１ｂの前端で垂下状に前面９１ｃが形成されており、また、側面の内側からカウンター５方向に略水平に突出して一対の水平凸片９１ｄ，９１ｄが一体形成され、各水平凸片９１ｄにはカウンター５方向に長い長孔９１ｅが貫通形成されている。
なお、この排水流路部材９の上部部材９１の背側立上部９１ａは、カウンター５の背側立上部５１ａに対応する形状に設定されており、また、上面９１ｂおよび前面９１ｃもカウンター５に対応する形状に設定されている。
【００１５】
また、排水流路部材９の下部部材９２は、上部部材９１の前面９１ｃに連結される前面９２ａから背側へ傾斜して傾斜面９２ｂが一体形成され、また、底側には下面９２ｃが一体形成されている。
また、下部部材９２の上面には、上方へ突出して一対の起立片９２ｄ，９２ｄが一体形成されており、各起立片９２ｄには上下方向に長い長孔が貫通形成されている。なお、下部部材９２には、配管を通すための配管貫通穴Ｈが貫通形成されている。
【００１６】
このような排水流路部材９は、図３に示すように、下部部材９２の起立片９２ｄ，９２ｄを上部部材９１の内側に重ね合わせて、この起立片９２ｄ，９２ｄの長孔にそれぞれビスを差し込んで、ビスを壁面４に締め付けることで、壁面４に上部部材９１と下部部材９２を組立状態で固設することができるものであり、このように排水流路部材９を壁面４にビスで固設しておき、この状態で、カウンター５の天板部５１のボス部５１ｆを排水流路部材９の上部部材９１の水平凸片９１ｄに整合させて、カウンター５の天板部５１の右側端部を上部部材９１の上面９１ｂに載せ、下方より水平凸片９１ｄの長孔９１ｅにビスを差し込んで、ビスをカウンターのボス部５１ｆに締め付け、排水流路部材９の上部部材９１にカウンターの天板部５１を固定することができ、この場合に、長孔９１ｅにより調整してカウンター５の左端部をエプロン２ａに押し付けた状態でビスを締め付けて固定することができるものであり、カウンター５の右端部の内側に排水流路部材９の一部が呑み込まれた状態で、隙間なくカウンター５は、浴槽２のエプロン２ａと壁面４間に設置されるものである。
また、天板部５１は、カウンター５背面に固定された支持用ブラケット（図示せず）によっても支持・固定される。
その後に、天板部５１に対し下方側より嵌合爪５２ｅを差し込んで前板部５２を連結し、前板部５２の下孔５２ｄに下方よりビスを差し込んで、ビスを排水流路部材９の下部部材９２に締め付け、前板部５２を排水流路部材９の下部部材９２に固定することができるものである。
【００１７】
このように、予め排水流路部材９を壁面４に固設しておき、この排水流路部材９にカウンター５の右端側を載せて、隙間なくすっきりとした状態にカウンター５を設置することができるものとなる。
なお、カウンター５の長手方向寸法は、浴槽２と壁面４間の距離よりも短い寸法に設定されている。ここで、浴槽と壁面間の距離は、浴槽２のフランジ垂下部またはエプロン２ａから壁面４までの距離をいう。
排水流路部材９の幅寸法を例えば４０ｍｍ程度に設定しておけば、現場に応じて排水流路部材９のカウンター５内への呑み込み代を調整して、あらゆる現場で、隙間なくカウンター５を設置することができるものとなる。
なお、設置状態において、排水流路部材９の上面９１ｂは洗い場３側へ水勾配が形成されているため、良好にこの上面９１ｂを通して排水を洗い場３側へ流下させることができるものである。即ち、上面９１ｂで排水流路が形成され、排水流路とは、排水流路部材９上にカウンター５端部を載置することによりカウンター５端部と排水流路部材上面９１ｂとで形成される段部である。
【００１８】
実施例において、前板部５２は、傾斜面５２ｂから下面５２ｃが一体形成されているが、下面５２ｃなしの前板部５２でも良く、下面５２ｃが分割されていても良く、天板部５１と前板部５２と下面５２ｃが一体でも良く、天板部５１と前板部５２が一体で下面５２ｃなしでも良い。
【００１９】
次に、図６は変更例を示すものであり、図６のカウンター５は、背側立上部５ａ，上面５ｂ，前面５ｃ，下面５ｄが一体形成されたものであり、また、排水流路部材９は、背側立上部９ａ，上面９ｂ，前面９ｃ，側面９ｄが板金または真空成形品で一体形成され、側面９ｄにはビス孔９ｅ，９ｅが形成されており、このビス孔９ｅにビスを差し込んで、ビスを壁面４に締め付け、壁面４の所定位置に予めこの排水流路部材９を固定させておくことができるものである。
固設した排水流路部材９に対し、カウンター５の右端の内側に排水流路部材９を呑み込ませた状態で排水流路部材９にカウンター５の右端側を載せて、隙間のない状態にカウンター５を設置することができるものである。
【００２０】
なお、図７に示すように、化粧部材１０を、排水流路部材９の背側立上部９ａ，上面９ｂ，前面９ｃに亘って貼着することで、カウンター５の右端側の隙間を化粧部材１０で良好に化粧処理することができるものとなる。
【００２１】
次に、図８は更に異なる変更例を示すものであり、カウンター５は背側立上部５ａ，上面５ｂ，前面５ｃが一体形成されており、排水流路部材９は、射出成形で背側立上部９ａ，上面９ｂ，前面９ｃ，側面９ｄが一体形成されたものであり、側面９ｄの内側にはビス用のボス部９ｆ，９ｆが形成されている。
このような排水流路部材９のボス部９ｆ，９ｆにビスを通し、ビスを壁面４に締め付けて、壁面４に排水流路部材９を所定位置に固設しておくことができ、この排水流路部材９にカウンター５の右端側を載せ、カウンター５内に排水流路部材９を呑み込ませて調整することができ、カウンター５の右端側の隙間を排水流路部材９で塞いで、すっきりとしたカウンター５の設置状態が得られるものである。
【００２２】
なお、図９に示す排水流路部材９は、更に簡略化したものであり、金物を曲げ加工して背側立上部９ａ，上面９ｂ，前面９ｃ，側面９ｄを一体形成したものである。なお、表面は粉末塗装で化粧仕上げしておくことができるものである。
なお、更に図１０に示す排水流路部材９は、上下面が対称形状に形成されており、背側立上部９ａ，上面９ｂ，前面９ｃ，側面９ｄ，下面９ｇが真空形成で一体形成されたものである。
なお、実施例において、排水流路部材９は壁４側に当接固定されているが、浴槽２またはエプロン２ａに当接固定されても良い。
【図面の簡単な説明】
【００２３】
【図１】カウンターを設置した浴室の平面構成図である。
【図２】カウンターの拡大斜視構成図である。
【図３】排水流路部材の組立状態の斜視構成図である。
【図４】排水流路部材の分解斜視構成図である。
【図５】壁面に固定した排水流路部材に対しカウンターを取り付ける前の分解斜視構成図である。
【図６】変更例を示すカウンターと排水流路部材の分解斜視図である。
【図７】図６の排水流路部材の拡大斜視構成図である。
【図８】更に異なる変更例のカウンターの設置前の分解斜視構成図である。
【図９】排水流路部材の変更例の斜視構成図である。
【図１０】排水流路部材の変更例の斜視構成図である。
【符号の説明】
【００２４】
１  浴室
２  浴槽
２ａ  エプロン
３  洗い場
４  壁面
５  カウンター
５ａ  背側立上部
５ｂ  上面
５ｃ  前面
５ｄ  下面
６  吐水口
７  流量ハンドル
８  温調ハンドル
９  排水流路部材
９ａ  背側立上部
９ｂ  上面
９ｃ  前面
９ｄ  側面
９ｅ  ビス孔
９ｆ  ボス部
９ｇ  下面
１０  化粧部材
５１  天板部
５１ａ  背側立上部
５１ｂ  前面
５１ｃ  段部
５１ｄ  溝部
５１ｆ  ボス部
５２  前板部
５２ａ  前面
５２ｂ  傾斜面
５２ｃ  下面
５２ｄ  下孔
５２ｅ  嵌合爪
５３  点検口蓋
９１  上部部材
９１ａ  背側立上部
９１ｂ  上面
９１ｃ  前面
９１ｄ  水平凸片
９１ｅ  長孔
９２  下部部材
９２ａ  前面
９２ｂ  傾斜面
９２ｃ  下面
９２ｄ  起立片
Ｄ  ドア
Ｈ  配管貫通穴
【図１】
0004668050.tif 000002
【図２】
0004668050.tif 000003
【図３】
0004668050.tif 000004
【図４】
0004668050.tif 000005
【図５】
0004668050.tif 000006
【図６】
0004668050.tif 000007
【図７】
0004668050.tif 000008
【図８】
0004668050.tif 000009
【図９】
0004668050.tif 000010
【図１０】
0004668050.tif 000011